(57)【要約】【課題】  本考案は、レジ係がレジ打ちを行いながら商品をスムーズに詰め込むことができるエコバッグ及びエコバッグ専用ホルダーを提供する。【解決手段】  エコバッグ１０のバッグ本体１２の底面部１４の上には下敷板２４が取り外し自在に載置されている。バッグ本体１２の第１側面部１６には第１挿入穴３４，３４が、第２側面部１８には第２挿入穴３６，３６がそれぞれ貫通形成されている。前記エコバッグ１０を保持するエコバッグ専用ホルダー４０の基板部４４にはホルダー棒４６，４８が立設され、ホルダー棒４６の先端部には挿入傾斜部５０が形成され、ホルダー棒４８の先端部には挿入傾斜部５２が形成されている。また、挿入傾斜部５０の基部と挿入傾斜部５２の基部には係止リブ５４が横架されている。【選択図】  図１
0003101762.tif 000002
【実用新案登録請求の範囲】
【請求項１】
商品を収容することができると共に底面部と側面部とから形成されたバッグ本体と、このバッグ本体の内部に収容されると共に前記底面部と略同形状に形成されて底面部の上に載置されることにより前記バッグ本体の底面部をフラット状態にして略全面でレジ台に接地させる下敷板と、前記バッグ本体の側面部の上部に貫通形成されると共にレジ台に立設固定されたエコバッグ専用ホルダーの一対の挿入傾斜部が挿入される一対の挿入穴と、を有してなることを特徴とするエコバッグ。
【請求項２】
商品を収容することができると共に底面部と第１側面部と第２側面部と第３側面部と第４側面部とから形成されたバッグ本体と、このバッグ本体の内部に収容されると共に前記底面部と略同形状に形成されて底面部の上に載置されることにより前記バッグ本体の底面部をフラット状態にして略全面でレジ台に接地させる下敷板と、前記第１側面部及び第１側面部と対向して形成された第２側面部に取り付けられた取っ手と、少なくとも前記第１側面部の上部に貫通形成されると共にレジ台に立設固定されたエコバッグ専用ホルダーの一対の挿入傾斜部が挿入される一対の挿入穴と、前記バッグ本体の上部に設けられて前記バッグ本体の開口部を閉じることができる閉装置と、を有してなることを特徴とするエコバッグ。
【請求項３】
前記バッグ本体を立ち上げた場合にバッグ本体が型崩れしにくい剛性を有すると共に折り畳むことができる柔軟性を兼ね備えた素材で形成したことを特徴とする請求項１、請求項２記載のエコバッグ。
【請求項４】
店舗のレジ台に立設固定されてエコバッグを立ち上げた状態で係止保持することができるエコバッグ専用ホルダーであって、前記レジ台に載置される基板部に間隔を設けて立設された一対のホルダー棒と、これらホルダー棒の先端部に斜め上方に向かって傾斜して形成されると共に前記エコバッグの側面部に貫通形成された一対の貫通穴に挿入される挿入傾斜部と、この挿入傾斜部の基部に形成されて挿入傾斜部が前記貫通穴に挿入された場合に前記エコバッグを立ち上げた状態で係止してエコバッグを保持する係止リブと、を有してなることを特徴とするエコバッグ専用ホルダー。
【考案の詳細な説明】
【技術分野】
【０００１】
本考案は、買い物の都度何度でも繰り返して使用することができるエコバッグとそのエコバッグを店舗のレジ台で立ち上げて保持することができるエコバッグ専用ホルダーに関する。
【背景技術】
【０００２】
スーパーマーケットやコンビニエンスストアー等の店舗のレジにおいては購入する商品の会計を行いながら購入した商品をレジ袋と称されるポリエチレン等で製造された袋に詰めて消費者に渡している。
しかし、前記レジ袋の大部分は消費者が家庭や職場等に持ち帰った後にゴミとして廃棄されてしまうためゴミの増大を招くと共に前記レジ袋の廃棄による環境への悪影響が懸念されている。
そこで、近年スーパーマーケット等では消費者が何度でも買い物時に使用できるように布等で形成された買い物袋をエコバッグと称して自ら販売して、消費者が可及的にレジ袋を使用しないようにすることによりレジ袋の使い捨てによるゴミの量の減少を図ると共にレジ袋の廃棄による環境悪化改善を図っている。
しかし、前記エコバッグは、布等を単に袋状に形成してなるものであるため商品の会計時等にレジ台の上に空のエコバッグを立ち上げた状態で置くことが困難であるため、レジ係が商品をエコバッグに詰め込みむ場合はレジ係がエコバッグを持ちながら商品を詰め込んでいる。
特に一人でレジ係がレジを打ちながら商品をエコバッグに詰め込むサービスを行っている店舗においてはレジ係がエコバッグを持ちながら商品を詰め込むことによりレジ打ちの作業効率が低下したり、レジに行列を作る遠因になっている。
【考案の開示】
【考案が解決しようとする課題】
【０００３】
本考案は、上記事実に鑑みなされたものでありレジにおいてレジ係がレジ打ちを行いながらであっても商品をスムーズに詰め込むことができることによりレジ打ちの作業効率が低下したりすることのないエコバッグ及びエコバッグ専用ホルダーを提供するものである。
【課題を解決するための手段】
【０００４】
請求項１の考案は、商品を収容することができると共に底面部と側面部とから形成されたバッグ本体と、このバッグ本体の内部に収容されると共に前記底面部と略同形状に形成されて底面部の上に載置されることにより前記バッグ本体の底面部をフラット状態にして略全面でレジ台に接地させる下敷板と、前記バッグ本体の側面部の上部に貫通形成されると共にレジ台に立設固定されたエコバッグ専用ホルダーの一対の挿入傾斜部が挿入される一対の挿入穴と、を有してなることを特徴としている。
請求項２の考案は、商品を収容することができると共に底面部と第１側面部と第２側面部と第３側面部と第４側面部とから形成されたバッグ本体と、このバッグ本体の内部に収容されると共に前記底面部と略同形状に形成されて底面部の上に載置されることにより前記バッグ本体の底面部をフラット状態にして略全面でレジ台に接地させる下敷板と、前記第１側面部及び第１側面部と対向して形成された第２側面部に取り付けられた取っ手と、少なくとも前記第１側面部の上部に貫通形成されると共にレジ台に立設固定されたエコバッグ専用ホルダーの一対の挿入傾斜部が挿入される一対の挿入穴と、前記バッグ本体の上部に設けられて前記バッグ本体の開口部を閉じることができる閉装置と、を有してなることを特徴としている。
請求項３の考案は、前記バッグ本体を立ち上げた場合にバッグ本体が型崩れしにくい剛性を有すると共に折り畳むことができる柔軟性を兼ね備えた素材で形成したことを特徴としている。
請求項４の考案は、店舗のレジ台に立設固定されてエコバッグを立ち上げた状態で係止保持することができるエコバッグ専用ホルダーであって、前記レジ台に載置される基板部に間隔を設けて立設された一対のホルダー棒と、これらホルダー棒の先端部に斜め上方に向かって傾斜して形成されると共に前記エコバッグの側面部に貫通形成された一対の貫通穴に挿入される挿入傾斜部と、この挿入傾斜部の基部に形成されて挿入傾斜部が前記貫通穴に挿入された場合に前記エコバッグを立ち上げた状態で係止してエコバッグを保持する係止リブと、を有してなることを特徴としている。
【考案の効果】
【０００５】
本考案のエコバッグは、バッグ本体の側面部の上部に貫通形成された一対の挿入穴にレジ台に立設固定されたエコバッグ専用ホルダーの一対の挿入傾斜部が挿入されることにより、エコバッグはエコバッグ専用ホルダーによって立ち上がった状態を保持されるため、レジ係は一人でレジを打ちながらでも商品をエコバッグにスムーズに詰め込むことができ、レジの作業効率の低下を防止すると共にレジの行列の遠因を排除することができるという優れた効果を有する。
また、本考案のエコバッグ専用ホルダーは、エコバッグを立ち上げた状態で保持することができるという優れた効果を有する。
【考案を実施するための最良の形態】
【０００６】
考案を実施するために最良の形態の例として以下のような実施例を示す。
【実施例１】
【０００７】
図１〜図３には本考案のエコバッグ及びエコバッグ専用ホルダーの一実施例が示されている。
図１に示されるように、このエコバッグ１０のバッグ本体１２の底面部１４は平面視矩形状に形成されている。この底面部１４の四辺には矩形状に形成された第１側面部１６と、この第１側面部に対向する矩形状に形成された第２側面部１８と、矩形状に形成された第３側面部２０と、この第３側面部２０と対向する矩形状に形成された第４側面部２２が設けられている。なお、前記バッグ本体１２はバッグ本体１２を立ち上げた状態（図１に示す状態）にした場合に前記第１側面部１６、第２側面部１８、第３側面部２０、第４側面部２２が型崩れして潰れにくい剛性を有すると共に折り畳むこともできる軟らかさを併せ持つ化学繊維からなる布帛によって形成されている。
図２に示されるように、前記バッグ本体１２内部の底面部１４の上には底面部１４と同形状の平面視矩形状の下敷板２４が取り外し自在に載置されている。この下敷板２４を前記底面部１４に載置することにより底面部１４はフラット状態となって略全面でレジに設置されたレジ台Ａに接地でき、エコバッグ１０は安定して倒れにくくなっている。また、前記バッグ本体１２の底面部１４の上に下敷板２４を載置することによりバッグ本体１２の開口部２６は開口され易くなっている。
前記第１側面部１６の外側面１６Ａ及び第２側面部１８の外側面１８Ａにはそれぞれ略逆Ｕ字状の取っ手２８が取り付けられており、前記エコバッグ１０を持ち易くなっている。
また、前記バッグ本体１２の上部には閉装置としてのマジックテープ（登録商標）３０が設けられている。即ち、前記第１側面部１６の内側面１６Ｂの上端縁にはマジックテープ（登録商標）３０のオス部３０Ａが取り付けられ、第２側面部１８の内側面１８Ｂの上端縁にはマジックテープ（登録商標）３０のメス部３０Ｂが取り付けられている。従って、マジックテープ（登録商標）３０のオス部３０Ａとマジックテープ（登録商標）３０のメス部３０Ｂを接着するとバッグ本体１２の開口部２６を簡単に閉じることができるようになっている。
前記第１側面部１６の上部には第１挿入穴３４，３４が貫通形成され、第２側面部１８の上部には第２挿入穴３６，３６が貫通形成されている。これら第１挿入穴３４，３４と第２挿入穴３６，３６にはリング体３８がそれぞれ嵌め込まれ、第１挿入穴３４，３４、第２挿入穴３６，３６が窄まないようになっている。
図１及び図３に示されるように、前記エコバッグ１０を立ち上げた状態で保持するエコバッグ専用ホルダー４０はレジ台Ａに設置された状態で適宜手段により固定されている。
前記エコバッグ専用ホルダー４０のレジ台Ａに載置される基板部４４には間隔を設けて２本のホルダー棒４６，４８が垂直に立設されている。このホルダー棒４６の先端部には挿入傾斜部５０が斜め上方に向かって折り曲げられて形成され、ホルダー棒４８の先端部には挿入傾斜部５２が斜め上方に向かって折り曲げられて形成されている。これら挿入傾斜部５０と挿入傾斜部５２の外径寸法は前記リング３８の内径寸法よりも小さく形成されており、挿入傾斜部５０と挿入傾斜部５２はリング３８に円滑に挿入できるようになっている。また、前記挿入傾斜部５０の基部と挿入傾斜部５２の基部には係止リブ５４が横架されている。
従って、図１に示されるように挿入傾斜部５０と挿入傾斜部５２をバッグ本体１２のリング３８に挿入した場合にバッグ本体１２は立ち上がった状態でエコバッグ専用ホルダー４０に係止保持されるようになっている。
【０００８】
前記実施例のエコバッグ１０とエコバッグ専用ホルダー４０の作用について説明する。
図１及び図３に示されるように、前記エコバッグ専用ホルダー４０は基板部４４をレジ台Ａに設置した状態で適宜手段を介してレジ台Ａに固定しておく。
そして、消費者が購入した商品の会計を行う場合はレジ係は消費者から消費者が持参したエコバッグ１０を受け取ってエコバッグ専用ホルダー４０の挿入傾斜部５０と挿入傾斜部５２を前記エコバッグ１０の第１側面部１６に貫通形成された第１挿入穴３４，３４のリング３８又は第２側面部１８に貫通形成された第１挿入穴３６，３６のリング３８に挿入（実施例では第１側面部１６に貫通形成された第１挿入穴３４，３４のリング３８に挿入）すると共にエコバッグ１０をレジ台Ａに置く。この場合、前記挿入傾斜部５０及び挿入傾斜部５２は斜め上方に向かって傾斜しているので、挿入傾斜部５０及び挿入傾斜部５２を第１挿入穴３４，３４のリング３８に挿入し易くなっている。
これにより、エコバッグ１０の第１側面部１６の上部は傾斜したエコバッグ専用ホルダー４０の挿入傾斜部５０と係止リブ５４及び挿入傾斜部５２と係止リブ５４によって確実に係止される。また、バッグ本体１２の内部には下敷板２４が底面部１４の上に載置されているので底面部１４はフラット状態になって略全面でレジ台Ａに接地するためエコバッグ１０を安定してレジ台Ａに置くことができる。しかも、前記バッグ本体１２は型崩れしにくい化学繊維からなる布帛で形成されているので、エコバッグ１０は開口部２６が広がった状態で立ち上がった状態になる。
従って、前記エコバッグ１０は立ち上がった状態で、しかも開口部２６は広く開いた状態でエコバッグ専用ホルダー４０に保持されるので、レジ係はエコバッグ１０を全く持つ必要が無く一人でレジを打ちながらでも商品をエコバッグ１０にスムーズに詰め込むことができる。
この結果、レジ係が一人でレジを打ちながら商品をエコバッグ１０に詰め込むサービスを行ってもレジの作業効率が低下することを防止することができると共にレジが行列する遠因も可及的に取り去ることができる。
また、前記エコバッグ１０の前記第１側面部１６の内側面１６Ｂの上端縁と第２側面部１８の内側面１８Ｂの上端縁にはマジックテープ（登録商標）３０が取り付けられているので、マジックテープ（登録商標）３０のオス部３０Ａとマジックテープ（登録商標）３０のメス部３０Ｂを接着すれば商品が詰め込まれたバッグ本体１２の開口部２６を簡単に閉じることができる。
なお、前記バッグ本体１２は折り畳むこともできる化学繊維からなる布帛によって形成されているので、不使用時には小さく折り畳むことができるため嵩張らず携帯に便利である。
【０００９】
なお、実施例では前記エコバッグ１０を化学繊維からなる布帛で形成したが化学繊維に限定されるものではなく、要はエコバッグ１０を立ち上げた場合は型崩れしないで潰れにくい剛性を有すると共に折り畳むことができる柔軟性を併せ持つ素材であればよい。
また、実施例では閉装置としてマジックテープ（登録商標）３０を示してバッグ本体１２の開口部２６を閉じるようにしたが、閉装置はマジックテープ（登録商標）３０に限定されるものでなく、紐やボタン等をバッグ本体１２に取り付けてバッグ本体１２の開口部２６を閉じるようにしてもよいことは勿論である。
【図面の簡単な説明】
【００１０】
【図１】実施例のエコバッグをエコバッグ専用ホルダーで保持している斜視図である。
【図２】実施例のエコバッグを上方から見た斜視図である。
【図３】実施例のエコバッグとエコバッグ専用ホルダーの斜視図である。
【符号の説明】
【００１１】
１０    エコバッグ
１２    バッグ本体
１４    底面部
１６    第１側面部
１８    第２側面部
２０    第３側面部
２２    第４側面部
２４    下敷板
２６    開口部
２８    取っ手
３０    マジックテープ
３４    第１挿入穴
３６    第２挿入穴
４０    エコバッグ専用ホルダー
４４    基板部
４６    ホルダー棒
４８    ホルダー棒
５０    挿入傾斜部
５２    挿入傾斜部
５４    係止リブ
【図１】
0003101762.tif 000003
【図２】
0003101762.tif 000004
【図３】
0003101762.tif 000005